(57)【要約】【課題】  無停電電源装置自身の故障が発生した場合や、あるいは、無停電電源装置の設計ミス、製造ミスの場合の、無停電電源装置の改修交換において、交換前の無停電電源装置の状態記憶手段に格納されたバッテリの状態情報を新しい無停電電源装置に引き継ぐことを可能とする無停電電源装置、および、無停電電源システムを提供することにある。【解決手段】  バッテリの寿命を判断するための状態情報を記憶するデータメモリ１１５と、状態情報の外部記憶３００への送信、外部記憶３００からの受信、データメモリ１１５への書き込みを制御するマイクロプロセッサ１１８を有する。【選択図】      図１
2008236974.tif 000002
【特許請求の範囲】
【請求項１】
バッテリの寿命を判断するための状態情報を記憶する状態記憶手段と、前記状態情報を外部記憶に送信する手段と、前記状態情報を前記外部記憶から受信し、前記状態記憶手段に書き込む手段を有することを特徴とする無停電電源装置。
【請求項２】
請求項１の無停電電源装置であって、前記状態情報を送信する手段を起動させる操作スイッチと、前記状態情報を受信し、前記状態記憶手段に書き込む手段を起動させる操作スイッチとを有することを特徴とする無停電電源装置。
【請求項３】
請求項１、または、２の無停電電源装置と、前記無停電装置が送信した前記状態情報を受信する手段と、前記状態情報を記憶する手段と、前記状態情報を前記無停電電源装置に送信する手段とを有する外部記憶装置とを備えたことを特徴とする無停電電源システム。
【請求項４】
請求項３の無停電電源システムであって、外部記憶装置はＵＳＢメモリであることを特徴とする無停電電源システム。
【請求項５】
請求項３の無停電電源システムであって、外部記憶装置は携帯端末であることを特徴とする無停電電源システム。
【請求項６】
請求項３の無停電電源システムであって、外部記憶装置はリモートに設置された情報処理装置であることを特徴とする無停電電源システム。
【請求項７】
無停電電源装置が、バッテリの寿命を判断するための状態情報を記憶し、前記状態情報を外部記憶装置に送信し、前記状態情報を前記外部記憶装置から受信し、前記状態記憶手段に書き込み、前記外部記憶装置が、前記無停電装置が送信した前記状態情報を受信し、前記状態情報を記憶し、前記状態情報を前記無停電電源装置に送信することを特徴とする無停電電源方法。
【請求項８】
請求項７の無停電電源方法であって、無停電電源装置の操作スイッチが操作されることにより前記状態情報を送信する手段を起動させ、前記状態情報を受信し、前記状態記憶手段に書き込むことを特徴とする無停電電源方法。
【請求項９】
請求項７、８の無停電電源方法であって、外部記憶装置はＵＳＢメモリであることを特徴とする無停電電源方法。
【請求項１０】
請求項７、８の無停電電源方法であって、外部記憶装置は携帯端末であることを特徴とする無停電電源方法。
【請求項１１】
請求項７、８の無停電電源方法であって、外部記憶装置はリモートに設置された情報処理装置であることを特徴とする無停電電源方法。
【発明の詳細な説明】
【技術分野】
【０００１】
本発明は無停電電源装置、無停電電源システム、および、無停電電源方法に関し、特に、バッテリの寿命を管理する機能を有する無停電電源装置、無停電電源システム、および、無停電電源方法に関する。
【背景技術】
【０００２】
コンピュータをはじめとする情報機器や情報処理システム、ハブ、ルータをはじめとする通信機器やネットワークシステムの信頼性や運用性を向上させるために種々の手段が考慮されている。無停電電源装置もそのような手段の一つとして効果の著しいもので、電源供給がシステム稼働に必要不可欠であることから、システムの信頼性や運用性の向上に大いに寄与している。
【０００３】
このような機能を有する従来の無停電電源装置の基本的構成の一実施例を図７に示す。
図７の無停電電源装置９００は、入力端子１４１を介して得られる商用電源等の一次電源（図示せず）からの交流電力をコンバータ１０２により所定の直流電力に変換し、蓄積用直流エネルギーとしてバッテリ１０４に供給（バッテリ１０４を充電）するとともに、インバータ１０３で再び所定の交流に逆変換して、この交流電力を出力端子１４２を介して負荷機器（図示せず）に供給する。
【０００４】
上記構成において停電が発生した場合、即ち入力端子１４１に入力される交流電力が途絶えた場合、コンバータ１０２から出力される所定の直流電力は絶たれるが、バッテリ１０４からの直流電力が、インバータ１０３に供給される。その結果、停電が発生した場合であっても、インバータ１０３は所定の交流出力電圧Ｖｏの交流電力を所定の時間（以降「バッテリ保持時間」と称する）、出力端子１４２を介して負荷機器に供給することができる。  一方、近年は、このような無停電電源装置に対しメンテナンスフリーの要求や小型化、低価格化の要求が高まり、バッテリ１０４の密閉化や無停電電源装置の高実装密度化が急速に進行してきた。
【０００５】
そこで、バッテリ１０４として制御弁式鉛蓄電池が使用され、この制御弁式鉛蓄電池を含めた無停電電源装置用部品が無停電電源装置筐体内に高密度に実装されるようになっている。
【０００６】
ところで、制御弁式鉛蓄電池に使用される正極板は、鉛合金からなる正極格子に活物質として二酸化鉛が充填されたものであり、充電によって格子体の表面は酸化腐食されて体積が膨張し、活物質の脱落や内部応力の発生をもたらし、格子体の強度を低下させるとともに格子体を伸ばさせる。
【０００７】
また一方、電解液中の水分減少が格子体の表面の酸化腐食とともに進行し、結果として制御弁式鉛蓄電池の劣化を進行させ、バッテリ保持時間の短縮をもたらす。
【０００８】
通常制御弁式鉛蓄電池は、ある温度までは、設置環境温度が低い方が寿命が長く容量劣化が少なくなり、反対に設置環境温度が高くなると寿命が短く容量劣化が激しくなる。
【０００９】
例えば、トリクル充電やフロート充電方式による使用における寿命は、設置環境温度が２５℃と３５℃では温度差が僅か１０℃であるが、３５℃における寿命は２５℃の約１／２程度になり、所謂１０℃２倍則（あるいはアレニウスの法則として知られている化学反応の法則）で劣化が進行する。
【００１０】
さらに、制御弁式鉛蓄電池の寿命を過ぎて使用し続けると、容量が極端に少なくなるとともに制御弁式鉛蓄電池の充電電流量の増加と温度上昇の悪循環が生じて熱暴走が発生する、あるいは、漏液が発生し、最悪の場合制御弁式鉛蓄電池から発煙・発火が生じる危険性がある。
【００１１】
そこで、無停電電源装置の性能上や安全上のために、制御弁式鉛蓄電池の設置環境温度や充電電圧や充電電流を計測して、制御弁式鉛蓄電池の寿命や劣化程度、あるいは蓄電池性能を検知する方法が種々提案されている（例えば、特許文献１参照）。
【００１２】
【特許文献１】特開平７−３１２２３３号
【発明の開示】
【発明が解決しようとする課題】
【００１３】
上述した従来の特許文献１の技術では、バッテリがそれまで使用されてきた履歴から算出された、バッテリの寿命を判断するための状態情報が無停電電源装置内の状態記憶手段に格納されている。一方、例えば無停電電源装置内部のコンバータやインバータ等の電力半導体素子が破損するといった故障が発生した場合、あるいは、無停電電源装置の設計ミス、製造ミスが判明した場合、無停電電源装置を交換する処置が取られる。無停電電源装置が交換された場合、無停電電源装置の状態記憶手段も変わってしまうため、前記状態情報も失われてしまう。
【００１４】
このため、交換前の無停電電源装置の状態記憶手段に格納されていた、バッテリの前記状態情報を交換後の無停電電源装置に引き継ぐことができないという問題点があった。
【００１５】
従って、交換時点以後は、これら従来技術で実現される機能の利用をあきらめるか、もしくは、経済性や地球環境保全性への悪影響があることを承知の上で、無停電電源装置９００を交換時に制御弁式鉛蓄電池も新品に同時交換しなければならないという問題点があった。
【００１６】
本発明の目的は、上述した従来の課題を解決する無停電電源装置、無停電電源システム、および、無停電電源方法を提供することにある。
【課題を解決するための手段】
【００１７】
本発明の第１の無停電電源装置は、バッテリの寿命を判断するための前記状態情報を記憶する状態記憶手段と、前記状態情報を外部記憶に送信する手段と、前記状態情報を前記外部記憶から受信し、前記状態記憶手段に書き込む手段を有する。
【００１８】
本発明の第２の無停電電源装置は、本発明の第１の無停電電源装置であって、前記状態情報を送信する手段を起動させる操作スイッチと、前記状態情報を受信し、前記状態記憶手段に書き込む手段を起動させる操作スイッチとを有する。
【００１９】
本発明の第１の無停電電源システムは、本発明の第１、または、２の無停電電源装置と、前記無停電装置が送信した前記状態情報を受信する手段と、前記状態情報を記憶する手段と、前記状態情報を前記無停電電源装置に送信する手段とを有する外部記憶装置とを備えた。
【００２０】
本発明の第２の無停電電源システムは、本発明の第１の無停電電源システムであって、外部記憶装置はＵＳＢメモリである。
【００２１】
本発明の第３の無停電電源システムは、本発明の第１の無停電電源システムであって、外部記憶装置は携帯端末である。
【００２２】
本発明の第４の無停電電源システムは、本発明の第１の無停電電源システムであって、外部記憶装置はリモートに設置された情報処理装置である。
【００２３】
本発明の第１の無停電電源方法は、無停電電源装置が、バッテリの寿命を判断するための状態情報を記憶し、前記状態情報を外部記憶装置に送信し、前記状態情報を前記外部記憶装置から受信し、前記状態記憶手段に書き込み、前記外部記憶装置が、前記無停電装置が送信した前記状態情報を受信し、前記状態情報を記憶し、前記状態情報を前記無停電電源装置に送信する。
【００２４】
本発明の第２の無停電電源方法は、本発明の第１の無停電電源方法であって、無停電電源装置の操作スイッチが操作されることにより前記状態情報を送信する手段を起動させ、前記状態情報を受信し、前記状態記憶手段に書き込む。
【００２５】
本発明の第３の無停電電源方法は、本発明の第１、２の無停電電源方法であって、外部記憶装置はＵＳＢメモリであることを特徴とする無停電電源方法。
【００２６】
本発明の第４の無停電電源方法は、本発明の第１、２の無停電電源方法であって、外部記憶装置は携帯端末であることを特徴とする無停電電源方法。
【００２７】
本発明の第５の無停電電源方法は、本発明の第１、２の無停電電源方法であって、外部記憶装置はリモートに設置された情報処理装置であることを特徴とする無停電電源方法。
【発明の効果】
【００２８】
上述したように、本発明の無停電電源装置、無停電電源システム、および、無停電電源方法は、無停電電源装置自身の故障が発生した場合や、あるいは、無停電電源装置の設計ミス、製造ミスの場合の、無停電電源装置の改修交換において、交換前の無停電電源装置の状態記憶手段に格納された前記状態情報を外部に送信し、交換後の無停電電源装置に外部から前記状態情報を受信し、受信した前記状態情報を状態記憶手段に書き込むことができるようにしたため、新しい無停電電源装置に交換後もバッテリの使用されてきた履歴である前記状態情報を引き継ぐことが可能であるという効果を有している。
【発明を実施するための最良の形態】
【００２９】
次に、本発明について図面を参照して詳細に説明する。
【００３０】
図１を参照すると、本発明の第１の実施の形態は、無停電電源装置１００と外部記憶３００とを含む。
【００３１】
無停電電源装置１００は、コンバータ１０２と、インバータ１０３と、バッテリ１０４と、バッテリ電圧検出器１０５と、バッテリ電流検出器１０６と、シャント１０７と、バッテリ温度検出器１０８と、サーミスタ１０９と、制御部１１０と、メモリデータ送受ポート２００と、入力端子１４１と、出力端子１４２とで構成されている。
【００３２】
制御部１１０は、Ａ／Ｄコンバータ１１１と、操作スイッチ１１２と、表示装置１１３と、プログラムメモリ１１４と、データメモリ１１５と、バッテリ寿命カウンタ１１６と、入出力インタフェース１１７と、マイクロプロセッサ１１８とを有している。
【００３３】
入力端子１４１は、商用電源等の一次電源（図示せず）からの交流電力を入力する。
【００３４】
コンバータ１０２は、入力端子１４１からの前記交流電力を直流電力に変換する。
【００３５】
インバータ１０３は、コンバータ１０２からの前記直流電力を交流電力に変換する。
【００３６】
出力端子１４２は、インバータ１０３からの前記交流電力を負荷機器に接続する。
【００３７】
バッテリ１０４は、コンバータ１０２からの前記直流電力をシャント１０７を介して入力とする。
【００３８】
バッテリ電圧検出器１０５は、バッテリ１０４の電圧Ｖｂｖを検出し、出力する。
【００３９】
バッテリ電流検出器１０６は、シャント１０７からの出力によりバッテリ１０４の充放電電流を検出し、前記充放電電流に対応する電圧Ｖｂｉを出力する。
【００４０】
サーミスタ１０９は、バッテリ１０４の表面温度を測定する。
【００４１】
バッテリ温度検出器１０８は、サーミスタ１０９からの出力によりバッテリ１０４の表面温度を検出し、前記表面温度に対応する電圧Ｖｂｔを出力する。
【００４２】
Ａ／Ｄコンバータ１１１は、バッテリ電圧検出器１０５とバッテリ電流検出器１０６とバッテリ温度検出器１０８から出力されるアナログデータである前記電圧Ｖｂｖ、前記電圧Ｖｂｉ、前記電圧Ｖｂｔをデジタルデータであるバッテリ電圧値、バッテリ電流値、バッテリ表面温度値に変換する。
【００４３】
データメモリ１１５は、本発明における「状態記憶手段」であり、たとえば、書き込み可能な不揮発性メモリである。データメモリ１１５は、バッテリ１０４の設置日時、バッテリ１０４の後述する状態情報を格納する。
【００４４】
プログラムメモリ１１４は、無停電電源装置１００の全体を制御する制御プログラム、各バッテリ平均温度における公知の標準寿命データ、バッテリ保持時間を演算するための公知の標準特性データ等、および、データメモリ１１５の情報を外部記憶３００に対して、書き込み及び読み込みを実行するドライバを格納する。
【００４５】
バッテリ寿命カウンタ１１６は、自身の有する現在時刻と、データメモリ１１５に格納されている前記設置日時とからバッテリ１０４設置後の経過時間を演算する。
【００４６】
マイクロプロセッサ１１８は、プログラムメモリ１１４に格納された前記制御プログラム、前記ドライバを読み出し、実行する。また、マイクロプロセッサ１１８により実行される前記制御プログラムは、前記標準寿命データ、前記標準特性データ、前記バッテリ電圧値、前記バッテリ電流値、前記バッテリ表面温度値、および、前記経過時間に基づき、前記状態情報を算出し、データメモリ１１５に格納する。
【００４７】
操作スイッチ１１２は、データメモリ１１５に格納されている前記状態情報、バッテリ寿命カウンタ１１６の有する前記現在時刻を液晶等の表示装置１１３に表示指示するための操作部、前記状態情報の外部記憶３００への退避指示するための操作部、前記状態情報の外部記憶３００からの復元を指示するための操作部を有する。
【００４８】
入出力インタフェース１１７は、Ａ／Ｄコンバータ１１１と、操作スイッチ１１２と、表示装置１１３とを前記マイクロプロセッサ１１８に接続する。
【００４９】
メモリデータ送受ポート２００は、入出力インタフェース１１７と、外部記憶３００との間を互いに接続する。
【００５０】
次に、図２〜図３を参照して、本発明の実施の形態の動作について、具体的な実施例を示して詳細に説明する。
本実施例では、図１における外部記憶３００に対応して、ＵＳＢメモリ３０１を使用しており、図１におけるメモリデータ送受ポート２００は、ＵＳＢポート２０１としている。
【００５１】
まず、定常時の動作を説明する。
図２の無停電電源装置１００は、入力端子１４１を介して得られる商用電源等の一次電源（図示せず）からの交流電力をコンバータ１０２により所定の直流電力に変換し、蓄積用直流エネルギーとしてバッテリ１０４に供給、即ち、バッテリ１０４を充電するとともに、インバータ１０３で再び所定の交流に逆変換して、この交流電力を出力端子１４２を介して負荷機器（図示せず）に供給する。
【００５２】
上記構成において停電が発生した場合、即ち入力端子１４１に入力される交流電力が途絶えた場合、コンバータ１０２から出力される所定の直流電力は絶たれるが、バッテリ１０４からの直流電力が、インバータ１０３に供給される。その結果、停電が発生した場合であっても、インバータ１０３は所定の交流出力電圧Ｖｏの交流電力を所定の時間（以降「バッテリ保持時間」と称する）、出力端子１４２を介して負荷機器にバッテリバックアップ供給することができる。
【００５３】
ところで、バッテリ１０４として制御弁式鉛蓄電池が一般的に使用されるが、制御弁式鉛蓄電池は使用時間や使用環境温度、放電回数等により性能劣化の程度や寿命が大きく異なっている。そのため、特に重要な負荷機器に無停電電源装置１００を使用する場合は、性能、寿命の管理が行われる。例えば、無停電電源装置１００は、バッテリ１０４の表面温度、バッテリ１０４の電圧、バッテリ１０４の充放電電流を常時計測する。そして、無停電電源装置１００は、前記経過時間、前記表面温度、前記電圧、前記充放電電流に基づき、前記標準寿命データや、前記標準特性データを参照して、実質換算の使用期間に対する残存寿命、残存容量を算出する。そして、無停電電源装置１００は、前記残存寿命、前記残存容量を前記状態情報をとしてデータメモリ１１５に順次更新格納する。
【００５４】
具体的な、前記残存寿命の算出の例を説明する。一例として表面温度に基づく前記残存寿命の算出について示す。前記制御プログラムは、算出処理を予め定められた単位時間（ｕ）毎に実行するものとする。まず、前記制御プログラムは、前記標準寿命データを参照して、前記表面温度に対応する標準寿命データ（Ｌｔ）を得る。そして、直前の予め定められた単位時間（ｕ）の、Ｌｔに対する割合（ｕ／Ｌｔ）を算出する。次に、前記制御プログラムは、前記標準寿命データを参照して、予め定めた標準温度に対応する標準寿命データ（Ｌｓ）を得る。そして、前記制御プログラムは、前記割合に基づき、前記直前の予め定められた単位時間（ｕ）を、前記予め定めた標準温度に対応する標準寿命データに変換した時間（Ｌｓ×ｕ／Ｌｔ）を算出する。次に、前記制御プログラムは、データメモリ１１５に格納されている前記状態情報から前回の前記残存寿命（Ｌｒ）を読み出し、前記変換した時間を減算（Ｌｒ−Ｌｓ×ｕ／Ｌｔ）する。こうして、前記制御プログラムは、現時点の前記残存寿命を算出する。尚、前記残存寿命の初期値は、たとえば、バッテリ１０４を交換する時に、保守員の指示により、前記制御プログラムが、前記予め定めた標準温度に対応する標準寿命データを前記残存寿命として前記状態情報に格納する。
【００５５】
次に、例えば無停電電源装置１００にあるコンバータ１０２の内部やインバータ１０３の内部に使用する電力半導体素子等が破損するといった無停電電源装置１００自身の故障が発生した場合を説明する。
【００５６】
図３は、稼働中の無停電電源装置１００の交換の必要性が発生した場合の処理の流れを示すフローチャートである。
【００５７】
保守員が、ＵＳＢメモリ３０１をＵＳＢポート２０１に接続し、操作スイッチ１１２を操作して、前記状態情報の退避を指示する（ステップ４０１）。
【００５８】
前記制御プログラムは、操作スイッチ１１２による前記状態情報の退避指示を検出すると、前記書き込み及び読み込みを実行するドライバを起動する（ステップ４０２）。前記書き込み及び読み込みを実行するドライバは、データメモリ１１５に格納されている前記状態情報を読み出し、入出力インタフェース１１７、ＵＳＢポート２０１を介してＵＳＢメモリ３０１に書き込む（ステップ４０３）。
【００５９】
保守員が、ＵＳＢメモリ３０１をＵＳＢポート２０１から取り外す。続けて保守員が、無停電電源装置１００を交換する。さらに続けて、保守員が、交換前無停電電源装置１００に搭載されていたバッテリ１０４を取り外し、交換後無停電電源装置１００に再搭載する（ステップ４０４）。
【００６０】
そして、保守員が、ＵＳＢメモリ３０１をＵＳＢポート２０１に接続し、操作スイッチ１１２を操作して、前記状態情報の復元を指示する（ステップ４０５）。
【００６１】
前記制御プログラムは、操作スイッチ１１２による前記状態情報の復元指示を検出すると、前記書き込み及び読み込みを実行するドライバを起動する（ステップ４０６）。前記書き込み及び読み込みを実行するドライバは、ＵＳＢメモリ３０１に格納されている前記状態情報を、ＵＳＢポート２０１、入出力インタフェース１１７を介して読み出し、データメモリ１１５に書き込む（ステップ２０７）。
【００６２】
こうして、交換後の新しい無停電電源装置１００のデータメモリ１１５に、継続使用するバッテリ１０４の前記状態情報が格納される。つまり、データメモリ１１５のデータを新しい無停電電源装置１００に引き継ぐことが可能となり、これにより故障交換される無停電電源装置１００にそれまで使用していたバッテリ１０４を継続使用することが可能となる。
【００６３】
本発明の第１の実施の形態によれば、無停電電源装置１００のデータメモリ１１５に格納された前記状態情報を外部に送信すること、無停電電源装置１００に外部から前記状態情報を受信し、受信した前記状態情報をデータメモリ１１５に書き込むことができるようにしたことにより、無停電電源装置１００を交換した場合でも、交換前の無停電電源装置１００のデータメモリ１１５に格納されていたバッテリ１０４の前記状態情報を引き継ぐことが可能になるという効果を有している。
【００６４】
次に本発明の第２の実施の形態について図面を参照して詳細に説明する。
図４は、本発明の第２の実施の形態の構成を示すブロック図である。本発明の第２の実施の形態においては、本発明の第１の実施の形態の構成を示すブロック図である図１、図２にあった操作スイッチ１１２と、表示装置１１３が無いこと、外部記憶３００が携帯端末３０２になり、ＲＳ２３２Ｃポート２０２で接続されることが、本発明の第１の実施の形態と異なる。
【００６５】
次に、図４〜図５を参照して、本発明の第２の実施の形態の動作について、具体的な実施例を示して詳細に説明する。
本実施例では、第１の実施の形態と異なる動作について説明する。
【００６６】
図３は、稼働中の無停電電源装置１００の交換の必要性が発生した場合の処理の流れを示すフローチャートである。
【００６７】
保守員が、携帯端末３０２をＲＳ２３２Ｃポート２０２に接続し、携帯端末３０２を操作して、前記状態情報の退避を指示する（ステップ４０１）。
【００６８】
前記制御プログラムは、携帯端末３０２による前記状態情報の退避指示を検出すると、前記書き込み及び読み込みを実行するドライバを起動する（ステップ４０２）。前記書き込み及び読み込みを実行するドライバは、データメモリ１１５に格納されている前記状態情報を読み出し、入出力インタフェース１１７、ＲＳ２３２Ｃポート２０２を介して携帯端末３０２に書き込む（ステップ４０３）。
【００６９】
保守員が、携帯端末３０２をＲＳ２３２Ｃポート２０２から取り外す。続けて保守員が、無停電電源装置１００を交換する。さらに続けて、保守員が、交換前無停電電源装置１００に搭載されていたバッテリ１０４を取り外し、交換後無停電電源装置１００に再搭載する（ステップ４０４）。
【００７０】
そして、保守員が、携帯端末３０２をＲＳ２３２Ｃポート２０２に接続し、携帯端末３０２を操作して、前記状態情報の復元を指示する（ステップ４０５）。
【００７１】
前記制御プログラムは、携帯端末３０２による前記状態情報の復元指示を検出すると、前記書き込み及び読み込みを実行するドライバを起動する（ステップ４０６）。前記書き込み及び読み込みを実行するドライバは、携帯端末３０２に格納されている前記状態情報を、ＲＳ２３２Ｃポート２０２、入出力インタフェース１１７を介して読み出し、データメモリ１１５に書き込む（ステップ２０７）。
【００７２】
本発明の第２の実施の形態によれば、外部記憶３００として携帯端末３０２を採用して、表示、操作を携帯端末３０２上で行うようにしたことにより、無停電電源装置１００に操作スイッチ１１２、表示装置１１３を持つ必要がないという効果を有している。
【００７３】
次に本発明の第３の実施の形態について図面を参照して詳細に説明する。
【００７４】
図５は、本発明の第３の実施の形態の構成を示すブロック図である。本発明の第３の実施の形態の無停電電源装置１００は、本発明の第２の実施の形態の構成を示すブロック図である図４のＲＳ２３２Ｃポート２０２が回線ポート２０３に、携帯端末３０２がリモートマシン３０３に変わっている点が異なる。
【００７５】
本発明の第３の実施の形態の動作は、第２の実施の形態の実施例と同じなので省略する。  本発明の第３の実施の形態によれば、外部記憶３００としてリモートマシン３０３を用いるようにしたことにより、例えば保守センタのリモートマシン３０３を使用すれば、バッテリ１０４の交換時期の一元管理も容易に可能にすることができるという効果を有している。
【００７６】
尚、メモリデータ送受ポート２００は、上述した実施例以外のＲＳ−４２２、ＩＥＥＥ１３９４、ＬＡＮ、その他のインタフェース等、無停電電源装置１００の具体的実現方法にとって最適なものを選択することが可能である。また、外部記憶３００は、上述した実施例以外にサービスプロセッサ、ホストシステム、あるいは、ＩＣカード、その他の記憶手段のいずれを選択しても良い。
【産業上の利用可能性】
【００７７】
本発明は無停電電源装置に関し、特に、コンピュータをはじめとする情報機器や情報処理システム、ハブ、ルータをはじめとする通信機器やネットワークシステムに使用される無停電電源装置に利用できる。
【図面の簡単な説明】
【００７８】
【図１】本発明の第１実施の形態の構成を示すブロック図である。
【図２】本発明の第１実施の形態における、実施例の構成を示すブロック図である。
【図３】本発明の第１の実施の形態における、稼働中の無停電電源装置１００の交換の必要性が発生した場合の処理の流れを示すフローチャートである。
【図４】本発明の第２実施の形態の構成を示すブロック図である。
【図５】本発明の第２、第３の実施の形態における、稼働中の無停電電源装置１００の交換の必要性が発生した場合の処理の流れを示すフローチャートである。
【図６】本発明の第３実施の形態の構成を示すブロック図である。
【図７】従来技術の実施の形態の構成を示すブロック図である。
【符号の説明】
【００７９】
１００    無停電電源装置
１０２    コンバータ
１０３    インバータ
１０４    バッテリ
１０５    バッテリ電圧検出器
１０６    バッテリ電流検出器
１０７    シャント
１０８    バッテリ温度検出器
１０９    サーミスタ
１１０    制御部
１１１    Ａ／Ｄコンバータ
１１２    操作スイッチ
１１３    表示装置
１１４    プログラムメモリ
１１５    データメモリ
１１６    バッテリ寿命カウンタ
１１７    入出力インタフェース
１１８    マイクロプロセッサ
１４１    入力端子
１４２    出力端子
２００    メモリデータ送受ポート
２０１    ＵＳＢポート
２０２    ＲＳ２３２Ｃポート
２０３    回線ポート
３００    外部記憶
３０１    ＵＳＢメモリ
３０２    携帯端末
３０３    リモートマシン
【図１】
2008236974.tif 000003
【図２】
2008236974.tif 000004
【図３】
2008236974.tif 000005
【図４】
2008236974.tif 000006
【図５】
2008236974.tif 000007
【図６】
2008236974.tif 000008
【図７】
2008236974.tif 000009